(57)【特許請求の範囲】
【請求項１】
通信機の端末に複数種類の異なるヘッドセットを選択的に接続するためのヘッドセットインターフェイス回路において、ヘッドセットの送話器の動作電流を検出する検出手段と、この検出手段により検出した動作電流に応じて、送話器回路の増幅度を切り替える手段とを具備したことを特徴とするヘッドセットインターフェイス回路。
【請求項２】
通信機の端末に複数種類の異なるヘッドセットを選択的に接続するためのヘッドセットインターフェイス回路において、ヘッドセットの送話器の動作電流を検出する検出手段と、この検出手段により検出した動作電流に応じて、ヘッドセットの送話器のバイアス電流を切り替える手段とを具備したことを特徴とするヘッドセットインターフェイス回路。
【発明の詳細な説明】
【０００１】
【発明の属する技術分野】
本発明は電話機等の通信機の端末に用いられるヘッドセットを接続するためのヘッドセットインターフェイス回路に関するものである。
【０００２】
【従来の技術】
電話機等の端末に接続して通話に使用するヘッドセットには、送受話器の感度、動作電流等の異なる製品が多数ある。
【０００３】
これらの異なるヘッドセットを使用する場合は、異なる複数のヘッドセットインターフェイス回路を持ち取り替えて使用するか、または切り替えスイッチを有するヘッドセットインターフェイス回路としスイッチで切り替えて使用する必要がある。
【０００４】
従来の切り替えスイッチを有するヘッドセットインターフェイス回路の例を図４に示す。
【０００５】
同図において、電話機本体４０は音声信号を符号化、復号化するＣＯＤＥＣ４１と、受話側及び送話側の増幅器４２、４３と、この電話機本体４０を制御するためのＣＰＵ４４とを有し、受話側及び送話側の増幅器４２、４３は、ハンドセット４５とヘッドセット４６にそれぞれ切り替えて接続されるように構成されている。そして、ヘッドセット４６側には、受話側及び送話側の増幅器４２、４３とヘッドセット４６との間にヘッドセットインターフェイス回路４７が設けられる。ヘッドセット４６としては、複数種類、例えば２種類の異なるヘッドセットを選択的に使用する。
【０００６】
このヘッドセットインターフェイス回路４７には、２種類のヘッドセットに対応するため、２つの増幅器４８、４９と、２つのバイアス抵抗回路５０、５１が設けられ、ヘッドセット４６の種類に応じて、スイッチＳＷ１、ＳＷ２により、手動で、ヘッドセット４６の送話器回路の増幅度、及び送話器のバイアス電流を切り替えるように構成されている。
【０００７】
ヘッドセット４６には大きく分けてエレクトレットタイプのヘッドセットと、カーボンハンドセットに対応したカーボン対応ヘッドセットの２種類が有る。エレクトレットタイプはカーボンタイプに比べバイアス電流は少なくてすみ送話感度が高い。従って、エレクトレットタイプの場合、バイアス電流は１００μＡ程度で、エレクトレットタイプ用のバイアス抵抗回路５０の抵抗値は例えば１ｋΩであり、また、カーボンタイプの場合、バイアス電流は１０ｍＡ程度で、カーボンタイプ用のバイアス抵抗回路５１の抵抗値は例えば４０Ωである。また、エレクトレットタイプ用の増幅器４８の増幅度は、カーボンタイプ用の増幅器４９の増幅度より小さいものとしている。
【０００８】
【発明が解決しようとする課題】
上述のように、従来は、その異なるヘッドセットを使用する場合は異なるヘッドセットインターフェイス回路を持ち取り替えて使用するか、または切り替えスイッチを有するヘッドセットインターフェイス回路としスイッチで切り替えて使用する必要があった。
【０００９】
本発明は、従来のこのような点に鑑み為されたもので、ヘッドセットの種類に応じて自動的に送話器回路の増幅度または送話器のバイアス電流を切り替えることができるヘッドセットインターフェイス回路を提供することを目的とする。
【００１０】
【課題を解決するための手段】
請求項１に記載の本発明は、通信機の端末に複数種類の異なるヘッドセットを選択的に接続するためのヘッドセットインターフェイス回路において、ヘッドセットの送話器の動作電流を検出する検出手段と、この検出手段により検出した動作電流に応じて、送話器回路の増幅度を切り替える手段とを具備したことを特徴とする。
【００１１】
本発明によれば、ヘッドセットの種類に応じて送話器回路の増幅度を切り替えることができる。
【００１２】
請求項２に記載の本発明は、通信機の端末に複数種類の異なるヘッドセットを選択的に接続するためのヘッドセットインターフェイス回路において、ヘッドセットの送話器の動作電流を検出する検出手段と、この検出手段により検出した動作電流に応じて、ヘッドセットの送話器のバイアス電流を切り替える手段とを具備したことを特徴とする。
【００１３】
本発明によれば、ヘッドセットの種類に応じて送話器のバイアス電流を切り替えることができる。
【００１４】
【発明の実施の形態】
以下、図面を参照して本発明の実施形態について詳細に説明する。
【００１５】
図１に本発明の一実施形態に係るヘッドセットインターフェイス回路の構成を示す。
【００１６】
同図において、電話機本体１０は音声信号を符号化、復号化するＣＯＤＥＣ１１と、受話側及び送話側の増幅器１２、１３と、この電話機本体１０を制御するためのＣＰＵ１４とを有し、受話側及び送話側の増幅器１３、１４は、ハンドセット１５とヘッドセット１６にそれぞれ切り替えて接続されるように構成されている。そして、ヘッドセット１６側には、受話側及び送話側の増幅器１３、１４とヘッドセット１６との間にヘッドセットインターフェイス回路１７が設けられる。ヘッドセット１６としては、複数種類、例えば２種類の異なるヘッドセットを選択的に使用する。
【００１７】
このヘッドセットインターフェイス回路１７には、２種類のヘッドセット１６に対応するため、２つの増幅器ＡＭＰ１、ＡＭＰ２と、これらを切り替えるスイッチＳＷａからなる増幅回路１８と、電流検出回路１９が設けられる。電流検出回路１９でヘッドセット１６の動作電流を検出し、動作電流に応じて、スイッチＳＷａに切り替えのための制御信号を出力し、増幅回路ＡＭＰ１、ＡＭＰ１を切り替えることによりヘッドセット１６の送話器回路の増幅度を切り替える。なお、この図１には示されていないが、電流検出回路１９で、検出したヘッドセット１６の動作電流に応じて、ヘッドセット１６の送話器のバイアス電流も同時に切り替える。
【００１８】
従来例で説明したように、ヘッドセット１６として、エレクトレットタイプとカーボンタイプとを選択的に使用する場合、カーボンタイプに比べエレクトレットタイプの方がバイアス電流は少なくてすみ送話感度が高い。従って、電流検出回路１９でヘッドセット１６の送話器の動作電流を検出し、エレクトレットタイプの場合は増幅度の小さい増幅器ＡＭＰ１に切り替えるように、またバイアス電流も小さくなるように切り替える制御を行なう。また、カーボンタイプの場合は増幅度の大きい増幅器ＡＭＰ２に切り替えるように、またバイアス電流も大きくなるように切り替える制御を行なう。
【００１９】
図２に、このヘッドセットインターフェイス回路１７の更に詳細な回路構成を示す。
【００２０】
同図において、Ｖ２は電源端子、ＨＯＯＫ２はオフフック信号出力端子、Ｔｏｕｔは送話器出力端子、ＧＮＤ１はアース端子、Ｒｉｎは受話器入力端子である。
Ｔ１，Ｔ２は送話器接続端子で、スイッチＳＷｔを介してヘッドセット１６の送話器１６ｔに接続される。Ｒ１，Ｒ２は受話器接続端子で、スイッチＳＷｒを介してヘッドセット１６の受話器１６ｒに接続される。
【００２１】
電流検出回路１９は、動作電流を検出するとともにバイアス電流を切り替えるトランジスタＱ２１、Ｑ１０、及び増幅器切り替え用のトランジスタＱ１１、Ｑ８を有する。
【００２２】
増幅回路１８は、エレクトレットタイプ用の増幅器ＡＭＰ１と、カーボンタイプ用の増幅器ＡＭＰ２、及びこれらの出力を切り替えるスイッチＳＷａを有する。
【００２３】
Ｑ１６は、オフフック検出用のトランジスタ、Ｑ２０はカーボンタイプのときのオフフック動作をサポートするためのトランジスタである。
【００２４】
また、図２において、各抵抗及び各コンデンサの値は次の通りである。
【００２５】
Ｒ１１＝３３Ω、Ｒ１２＝１０ＫΩ、Ｒ１３＝１２００Ω、Ｒ１４＝４７０Ω、Ｒ１５＝３３０Ω、Ｒ１６＝７．５ＫΩ、Ｒ１７＝４７ＫΩ、Ｒ２２＝６２０Ω、Ｒ２４＝１００ＫΩ、Ｒ２５＝１２０ＫΩ、Ｒ２６＝１０ＫΩ、Ｒ２７＝２２０ＫΩ、Ｒ２８＝４７ＫΩ、Ｒ３０＝２２０Ω、Ｒ３１＝１Ω、Ｒ３２＝１０ＫΩ、Ｒ３３＝１ＫΩ、Ｒ３４＝４７ＫΩ、Ｒ３５＝１０ＫΩ、Ｒ４０＝４７ＫΩ、Ｒ４４＝３３０Ω、Ｃ４＝２２μＦ、Ｃ５＝２２μＦ、Ｃ６＝０．００１μＦ、Ｃ８＝２．２μＦ、Ｃ９＝１μＦ。
【００２６】
なお、トランジスタＱ２１、Ｑ１１、Ｑ１６、Ｑ２０は２ＳＡ１０１５を、トランジスタＱ１０は２ＳＤ８８０を、またトランジスタＱ８は２ＳＣ１８１５を使用して構成している。
【００２７】
次に、この動作について説明する。
【００２８】
スイッチＳＷｔがオンとなると、オフフック検出用のトランジスタＱ１６はオンとなり、オフフック信号出力端子ＨＯＯＫ２にオフフック信号（“Ｈ”）を出力する。
【００２９】
ヘッドセット１６の送話器１６ｔがエレクトレットタイプの場合は、動作電流が小さいため、トランジスタＱ２１、Ｑ１０、Ｑ１１、Ｑ８、Ｑ２０はオフの状態で、１ｍＡ以下の小さいバイアス電流で動作し、Ｒ１３及びＲ２２が負荷抵抗となる。また、トランジスタＱ８がオフの状態であることにより、電流検出回路１９は、増幅回路１８のスイッチＳＷａに対し、エレクトレットタイプ用の増幅度の小さい増幅器ＡＭＰ１の出力信号が送話器出力端子Ｔｏｕｔに出力されるように切り替える制御信号（“Ｈ”）を出力する。
【００３０】
一方、ヘッドセット１６の送話器１６ｔがカーボンタイプの場合は、エレクトレットタイプの場合より動作電流が大きくなるためトランジスタＱ２１がオンとなり、Ｑ１０もオンとなる。従ってバイアス電流が切り替えられ、４ｍＡ以上のバイアス電流で動作し、Ｒ１３、Ｒ２２及びＲ１１が負荷抵抗となる。
【００３１】
トランジスタＱ２１、Ｑ１０がオンとなったことにより、トランジスタＱ１１、Ｑ８、Ｑ２０もオン状態となる。トランジスタＱ８がオン状態となったことにより、電流検出回路１９は、増幅回路１８のスイッチＳＷａに対し、カーボンタイプ用の増幅度の大きい増幅器ＡＭＰ２の出力信号が送話器出力端子Ｔｏｕｔに出力されるように切り替える制御信号（“Ｌ”）を出力する。
【００３２】
また、トランジスタＱ２０もオン状態となったことにより、カーボンタイプのときのトランジスタＱ１６のオフフック動作（オフフック信号（“Ｈ”）を出力する動作）をサポートする。即ち、カーボンタイプとき、トランジスタＱ１６がオンの場合でもその状態が不安定な場合があるので、このトランジスタＱ２０がオン状態となって、トランジスタＱ１６のオフフック動作をサポートする。
【００３３】
このように、電流検出回路１９において、トランジスタＱ２１、Ｑ１０が、エレクトレットタイプとカーボンタイプとで動作電流が異なることを検出するとともに、バイアス電流を切り替え、そしてトランジスタＱ１１、Ｑ８により増幅回路１８の増幅度を切り替えている。
【００３４】
また、この電流検出回路１９の切り替え動作及びバイアス電流の切り替え動作は、ヒステリシス特性を有している。図３に、電流検出回路１９の点Ａにおける電圧、電流特性（ヒステリシス特性）を示す。
【００３５】
同図に示すように、動作電流が増加してエレクトレットタイプからカーボンタイプに切り替える（電流検出回路１９の制御信号（トランジスタＱ８の出力信号）が“Ｈ”から“Ｌ”に変わる）電流値と、電流が減少してカーボンタイプからエレクトレットタイプに切り替える（電流検出回路１９の制御信号（トランジスタＱ８の出力信号）が“Ｌ”から“Ｈ”に変わる）電流値とが異なり、ヒステリシス特性を有している。このように、ヒステリシス特性を有することにより、不必要に切り替え動作が行われて動作が不安定となることを防止することができる。
【００３６】
以上説明したように、この実施形態によれば、ヘッドセット１６の送話器１６ｔの動作電流を検出し、ヘッドセット１６の送話器１６ｔの種類に応じてバイアス電流及び送話器回路の増幅度を自動的に切り替えることができる。
【００３７】
また、動作電流の有無により電話機のオンフック、オフフックを行うことができ、電話機本体１０側でのハンドセットのオン、オフを行わなくて済むようにすることができる。
【００３８】
【発明の効果】
以上説明したように、本発明のヘッドセットインターフェイス回路によれば、ヘッドセットの送話器の種類に応じて送話器回路の増幅度またはバイアス電流を自動的に切り替えることができる。
【図面の簡単な説明】
【図１】  本発明の一実施形態に係るヘッドセットインターフェイス回路の概略構成を示すブロック図。
【図２】  本発明の一実施形態に係るヘッドセットインターフェイス回路の更に詳細な構成を示す図。
【図３】  本発明の一実施形態における電流検出回路の電圧、電流特性（ヒステリシス特性）を示す図。
【図４】  従来例の概略構成を示すブロック図。
【符号の説明】
１０…電話機本体
１１…ＣＯＤＥＣ
１２…受話側増幅器
１３…送話側増幅器
１４…ＣＰＵ
１５…ハンドセット
１６…ヘッドセット
１７…ヘッドセットインターフェイス回路
１８…増幅回路
１９…電流検出回路
ＳＷａ…スイッチ
ＡＭＰ１…増幅度の小さい増幅器
ＡＭＰ２…増幅度の大きい増幅器
【図１】
0004052620.tif 000002
【図２】
0004052620.tif 000003
【図３】
0004052620.tif 000004
【図４】
0004052620.tif 000005